(57)【要約】【課題】より吸音率の優れた膜振動吸音板ならびに透光性・見透かし性の優れた透光型膜振動吸音板ならびに吸音パネルを提供する。【解決手段】一枚の透明穴明き樹脂板と一枚の樹脂網もしくはアルミニウム製エキスパンドメタルを事前に平坦化したものに樹脂塗装を施したアルミニウム製エキスパンドメタルの間に、少なくとも一枚の弗素系透明樹脂薄膜を挟持した積層体であって、前記穴明き板の片側表面または前記樹脂薄膜の表面を、それらとは異なる材質の物体を用いて摩擦することによって強制的に静電気を惹起することにより、前記穴明き板と樹脂薄膜との密着性を向上させる。【選択図】図４
2011197536.tif 000002
【特許請求の範囲】
【請求項１】
一枚の絶縁体穴明き板と一枚の樹脂網もしくはアルミニウム製エキスパンドメタルを事前に平坦化したものに樹脂塗装を施したアルミニウム製エキスパンドメタルの間に、少なくとも一枚の樹脂薄膜を挟持した積層体であって、前記絶縁体穴明き板の片側表面または樹脂薄膜の表面を、絶縁体穴明き板並びに樹脂薄膜とは異なる材質の物体を用いて摩擦することによって強制的に静電気を惹起することにより、前記穴明き板と樹脂薄膜との密着性を向上させることにより、吸音特性を向上させたことを特徴とする膜振動吸音板。
【請求項２】
請求項１に記載の膜振動吸音板において、一枚の絶縁体穴明き板と一枚の樹脂薄膜の間の少なくとも一箇所を、接着材を介して固定することにより、前記強制的に惹起させた静電気帯電量の減衰を防止することにより、前記絶縁体穴明き板と樹脂薄膜の密着性を向上させることによって、吸音特性を向上させたことを特徴とする膜振動吸音板。
【請求項３】
請求項１および請求項２に記載の一枚の絶縁体穴明き板と一枚の樹脂薄膜が透明なことを特徴とする透光型膜振動吸音板。
【請求項４】
請求項１および請求項２に記載の膜振動吸音板を音源側に、また、反音源側に遮音板を配設して、それらを枠部材で保持することにより空気層を形成したことを特徴とする吸音パネル。
【請求項５】
請求項３に記載の透光型膜振動吸音板を音源側に、また、反音源側に透明な樹脂製の遮音板を配設して、それらを枠部材で保持することにより空気層を形成したことを特徴とする透光型吸音パネル。
【請求項６】
請求項４に記載の吸音パネルであって、少なくとも前記枠部材の内側に軟質繊維系多孔質吸音材もしくは連続気泡型弾性フォーム吸音材を内張りしたことを特徴とする、吸音パネル。
【請求項７】
請求項５に記載の吸音パネルであって、少なくとも前記枠部材の内側に軟質繊維系多孔質吸音材もしくは連続気泡型弾性フォーム吸音材を内張りしたことを特徴とする、透光型吸音パネル。
【発明の詳細な説明】
【技術分野】
【０００１】
本発明は、道路や鉄道等の防音壁に関する技術分野に属する。詳しくは、吸音特性のみならず、必要に応じて吸音パネルを通しての見透かし性や透光性を有する防音壁に関する。
【背景技術】
【０００２】
道路や鉄道等の防音壁としては、音源側は多数のスリットを形成した金属板とし、背面の遮音板は金属板とした金属製の筐体の中に、グラスウール等の軟質繊維系多孔質吸音材を、紫外線や雨水などによる劣化を防止する目的で、耐候性フィルム（ETFE）で保護したものを装入したものが一般的である。
【０００３】
また、道路両側の民家への日照対策や景観対策、眺望対策として透明な樹脂製遮音板等を用いた透光型の防音壁等があげられる。
【０００４】
さらに最近、透光型膜振動吸音板と透明な樹脂製遮音板とを組み合わせた透光・吸音型の防音壁が実用化されている。
【特許文献１】特許第２５１８５８９号公報
【特許文献２】特許第３３９２０７０号公報
【発明の開示】
【発明が解決しようとする課題】
【０００５】
前記透光型膜振動吸音板と透明な樹脂製遮音板とを組み合わせた透光・吸音型の防音壁の実用化により、それ以前の、音源側は多数のスリットを形成した金属板とし、背面の遮音板は金属板とした金属製の筐体の中に、グラスウール等の軟質繊維系多孔質吸音材を装入した吸音パネルでの課題であった、道路両側の民家への日照の問題や景観上の問題、同乗者が外の景色を見ることができない眺望上の問題は、本発明者等によって発明された透光型膜振動吸音材（特許第２５１８５８９号）ならびに防音壁（特許第３３９２０７０号）に用いられている透光型膜振動吸音材を用いる事によりほぼ解決されたものの、前記透光型膜振動吸音材の吸音率は未だに十分とはいえない。
【０００６】
その主要な理由は、吸音面が大きくなるのに従って、前記透光型膜振動吸音材を構成する、透明樹脂薄膜と透明穴明き樹脂板の間に間隙が生じ易く、音波が樹脂薄膜に当たって振動しても透明穴明き樹脂板との接触が不十分であるためであると推察した。
【課題を解決するための手段】
【０００７】
本出願人等は、樹脂製の絶縁体穴開き板または樹脂薄膜の積層体の表面を、前記穴開き板または樹脂薄膜と異なる材質の物体で摩擦をすると、樹脂薄膜と絶縁体穴開き板の密着性が静電気効果によって良好になることに着目することにより、膜振動吸音板の吸音特性が向上することを見出して本発明に至ったものである。
【０００８】
本発明の第一の態様は、一枚の絶縁体穴明き板と一枚の樹脂網もしくはアルミニウム製エキスパンドメタルを事前に平坦化したものに樹脂塗装を施したアルミニウム製エキスパンドメタルの間に、少なくとも一枚の樹脂薄膜を挟持した積層体であって、前記絶縁体穴明き板の片側表面または樹脂薄膜の表面を、絶縁体穴明き板並びに樹脂薄膜とは異なる材質の物体を用いて摩擦することによって強制的に静電気を惹起することにより、前記穴明き板と樹脂薄膜との密着性を向上させることにより、吸音特性を向上させたことを特徴とする膜振動吸音板である。
【０００９】
本発明の第二の態様は、第一の態様に記載の膜振動吸音板において、一枚の絶縁体穴明き板と一枚の樹脂薄膜の間の少なくとも一箇所を、接着材を介して固定することにより、前記強制的に惹起させた静電気帯電量の減衰を防止することにより、前記絶縁体穴明き板と樹脂薄膜の密着性を向上させることによって、吸音特性を向上させたことを特徴とする膜振動吸音板である。
【００１０】
本発明の第三の態様は、第一の態様および第二の態様に記載の一枚の絶縁体穴明き板と一枚の樹脂薄膜が透明なことを特徴とする透光型膜振動吸音板である。
【００１１】
本発明の第四の態様は、第一の態様および第二の態様に記載の膜振動吸音板を音源側に、また、反音源側に遮音板を配設して、それらを枠部材で保持することにより空気層を形成したことを特徴とする吸音パネルである。
【００１２】
本発明の第五の態様は、第三の態様に記載の透光型膜振動吸音板を音源側に、また、反音源側に透明な樹脂製の遮音板を配設して、それらを枠部材で保持することにより空気層を形成したことを特徴とする透光型吸音パネルである。
【００１３】
本発明の第六の態様は、第四の態様に記載の吸音パネルであって、少なくとも前記枠部材の内側に軟質繊維系多孔質吸音材もしくは連続気泡型弾性フォーム吸音材を内張りしたことを特徴とする、吸音パネルである。
【００１４】
本発明の第七の態様は、第五の態様に記載の吸音パネルであって、少なくとも前記枠部材の内側に軟質繊維系多孔質吸音材もしくは連続気泡型弾性フォーム吸音材を内張りしたことを特徴とする、透光型吸音パネルである。
【発明の効果】
【００１５】
本発明の透光型膜振動吸音板および透光型吸音パネルを用いることにより、吸音特性のみならず、必要に応じて吸音パネルを通しての透光性および見透かし性を有する、道路・鉄道用の防音壁の提供が可能となる。
【発明を実施するための最良の形態】
【００１６】
本発明の膜振動吸音板ならびに透光型膜振動吸音板と、これらを用いた膜振動吸音パネルおよび透光型膜振動吸音パネルについて、添付の図面を参照して詳細に説明する。
【００１７】
なお、以下の説明において、絶縁体穴開き板とは、ポリカーボネート、アクリル、塩化ビニール等の高分子材料等を用いた、穴開き板を示す。
【００１８】
吸音パネルに透光性、見透し性が要求される場合はポリカーボネート等の透明な樹脂製絶縁体穴開き板を用いればよい。
【００１９】
また、以下の説明において、樹脂網とは合成樹脂製の網状体で、たとえば代表事例としては、近年盛土・地盤補強用繊維構造体（一般名称：ジオグリッド）として使用されているものがあげられる。
【００２０】
樹脂網の網目（目合い）の形状・サイズは種種あるが、透光性が要求される場合には１０ｍｍ×１０ｍｍ程度の目合いサイズが好適である。また網目の断面形状も、吸音率向上の観点より、樹脂薄膜との接触が良好なできる限り平坦なものが好適である。
【００２１】
また、アルミニウム製エキスパンドメタルを事前に平坦化したものに樹脂塗装を施したエキスパンドメタルについて説明する。
【００２２】
エキスパンドメタルとは金属板に特殊な刃型を用いて千鳥配列の切れ目を入れ、同時にこれを押し伸ばしながら網目を形成した網状の金属板である。図１はエキスパンドメタルの一つの網目１の正面図であり、図２は図１のａ−ａ断面図、また図３は図２の状態にロール圧延して平坦化加工を施した状態を示す説明図である。
【００２３】
図２から明らかなように、エキスパンドメタルの断面には大きな起伏（凹凸）があるため、樹脂薄膜２を挟持した際（他方の板状体は省略してある）、樹脂薄膜２との接触が不十分であり結果的に吸音特性は不十分である。
【００２４】
図３は、エキスパンドメタルを、圧延ロールを用いて平坦化加工を施した状態を示す説明図であり、樹脂薄膜２を挟持した際（他方の板状体は省略してある）、樹脂薄膜２との接触が十分になるので吸音特性も向上する。
【００２５】
図３の状態の平坦化加工を施したアルミニウム製エキスパンドメタルに樹脂塗装を施すことにより、エキスパンメタルの耐候性が向上するとともに、膜振動吸音板および透光型膜振動吸音板の静電気帯電特性が向上するので吸音特性も向上する。
【００２６】
また樹脂製薄膜とは、ポリエチレン、ポリプロピレン、ポリエステル、ナイロン、塩素系樹脂、弗素系樹脂等の薄膜が使用可能であるが、吸音特性、耐候性、耐久性等の点で、塩化ビニル薄膜、ポリ弗化エチレン系樹脂薄膜、ポリ弗化ビニリデン系樹脂薄膜が特に好適に適用される。
【００２７】
ポリ弗化エチレン系樹脂薄膜に用いられるポリ弗化エチレン系の樹脂としては、公知の各種のものが例示されるが、ポリ４弗化エチレン（PTFE）、４弗化エチレン・エチレン共重合体（ETFE）、ポリ３弗化塩化エチレン（PCTFE）等が好適に例示される。
これらのポリ弗化エチレン系樹脂は、準不燃性で、かつ耐薬品性、耐候性、耐熱性に優れたものである。
【００２８】
吸音パネルに透光性、見透し性が要求される場合は弗化エチレン系樹脂等の弗素系透明樹脂薄膜を用いればよい。
【００２９】
「絶縁体穴開き板および樹脂薄膜とは異なる材質の物体」とは
例えば、絶縁体穴開き板がポリカーボネート製の透明穴明き樹脂板であり、樹脂薄膜が弗素系透明樹脂薄膜の場合、これらと異なる材質の物体としてナイロン、アクリル、ポリエステルや木綿等があげられる。
【００３０】
「強制的に静電気を惹起する」とは、例えば前記ポリカーボネート製の透明穴明き樹脂板の表面をナイロン（靴下）や木綿（下着の布）で摩擦をすると、その表面に静電気が惹起して、紙の切れ端や小さな塵埃を吸着したり、指先との間に放電現象を起して痛みを覚えたりする経験から明らかである。
【００３１】
静電気は二つの固体が接触、摩擦、衝突、剥離などをした時、その表面に発生することは公知である。二つの固体表面に等量かつ異符号の静電気が発生する。また、帯電極性や帯電量は固体の種類や表面状態に依存すると言われている。
【００３２】
また、本発明における、絶縁体穴明き板と樹脂薄膜の組み合わせで双方の材料に発生した静電気の作用により、穴明き板と樹脂薄膜との接触が良好になるので、音波による樹脂薄膜の振動を効率よくエネルギー変換できることにより吸音特性の向上が可能となる。
【００３３】
また、静電気の吸引力は電圧が高いほど強く、距離の二乗に比例して弱くなる。電圧を高くするためには、摩擦により強制的に静電気を発生させる必要がある。
【００３４】
また、前記穴明き板と樹脂薄膜との間に安定した密着を持続させるためには、二者の距離を最適に保持する必要がある。この方法として、前記樹脂薄膜と絶縁体穴明き板を、両面接着テープ等の接着材を用いて部分的に固定することが有効である。
【００３５】
さて、帯電量は時間の経過や空気中の湿度、雨水の影響等に伴って減衰するが、帯電列の離れた組み合わせの場合は減衰時間が長くなり、更に吸音パネル施工後の風圧等による振動、摩擦、等で新たに静電気が発生し易くなるので前記積層体の部分的な固定は有効である。また、前記穴明き板と樹脂薄膜の静電気による密着状態は、物理的に大きな力で引き離さない限り、帯電量が減少しても引き続き持続する事が出来る。
【００３６】
静電気測定器を用いて、木綿製の布切れで前記ポリカーボネート製の透明穴明き樹脂板および弗素系透明樹脂薄膜を摩擦後、静電気帯電量を計測すると、木綿の布切れは＋（プラス）側また透明ポリカーボネート板および透明弗化エチレン系樹脂薄膜は−（マイナス）側に帯電していることが明らかになった。
【００３７】
静電気帯電量の計測は、非接触式の回転セクタ型表面電位計を用いた。（スタチロンM: シシド静電気株式会社製）
【００３８】
また、前記ポリカーボネート製の透明穴明き樹脂板に弗素系透明樹脂薄膜を面接触させて樹脂薄膜を前記木綿の布切れで摩擦して当樹脂薄膜がポリカーボネート製の透明穴明き樹脂板に付着していることを確認後、樹脂薄膜を剥離してそれぞれの表面の静電気帯電量を計測した結果、弗素系透明樹脂薄膜が−（マイナス）に、またポリカーボネート製の透明穴明き樹脂板側が＋（プラス）に帯電していることが確認された。
【００３９】
以上の結果より、上記３物質の摩擦帯電列は、文献等に記載してある通り、（＋側）木綿⇒ポリカーボネート製の透明穴明き樹脂板⇒弗素系透明樹脂薄膜（−側）の順であることが確認された。
【００４０】
まず、本発明の膜振動吸音板の構造ならびに構成材料について、図１〜図８を用いて説明する。なお、以下の説明において、絶縁体穴開き板は、透明穴明き樹脂板と見なして説明する。同様に、樹脂薄膜は弗素系透明樹脂薄膜と見なして説明する。
【００４１】
図４は本発明の透光型膜振動吸音板（樹脂網タイプ）３の平面概念図を示す。また図５はそのｂ−ｂ断面図を示す。樹脂網５は上側に配設し、弗素系透明樹脂薄膜６を挟持するようにして透明穴明き樹脂板７で積層している。
【００４２】
樹脂網５としては、前記したように透光性と弗素系透明樹脂薄膜６との接触性が重要であるが、今回の実施例においては地盤補強材（ジオグリッド）に用いられているポリエステル繊維素材を塩化ビニール系樹脂でコーティングした、目合いが１０ｍｍ×１０ｍｍ、網の平均幅が約２ｍｍ、網の平均厚みが約１ｍｍの、前記樹脂薄膜との接触性が良好なものを用いた。
【００４３】
樹脂薄膜としては前記したように、弗素系透明樹脂薄膜６であって、膜厚２５μｍのものを用いた。
【００４４】
絶縁体穴明き板としては、厚さが２ｍｍのポリカーボネート製の透明穴明き樹脂板７を用いた。穴明きの内径は１０ｍｍ、千鳥配列、開口率３５％のものである。
【００４５】
前記厚さが２ｍｍのポリカーボネート製の透明穴明き樹脂板７の長辺側両端に５ｍｍ幅の両面接着テープを予め貼り付けておき、ここに前記厚さが２５μｍの弗素系透明樹脂薄膜６を静かにセットして貼り付けた。なお、図４と図５には両面接着テープの記載は省略してある。
【００４６】
弗素系透明樹脂薄膜６を両面接着テープでセットした前記透明穴明き樹脂板７の上に、前記樹脂網５をセットし、電気絶縁テープを用いてこの積層体の８箇所を固定した。なお、図４と図５には固定のための電気絶縁テープは記載されていない。
【００４７】
図６に強制的に静電気を惹起する方法を示す。座布団置き台８の上に
木綿製座布団９（１ｍ×１ｍ）を置き、前記電気絶縁テープを用いて固定した（図中には記載していない）積層体の、透明穴明き樹脂板７側を座布団と接触させて、矢印の方向１０に往復５０回、静に移動させて摩擦することにより、本発明の透光型膜振動吸音板（樹脂網タイプ）３とした。
【００４８】
図７は本発明の透光型膜振動吸音板（エキスパンドタイプ）１１の平面概念図を示す。また図８はそのｃ−ｃ断面図を示す。
【００４９】
透明穴明き樹脂板７と弗素系透明樹脂薄膜６は、前記図４と図５で説明したものと同様のものである。
【００５０】
エキスパンドメタルはアルミニウム製であって、網目サイズが１０ｍｍ×２０ｍｍのものを用い、前記図１〜図３を用いて説明したように圧延ロールを用いて平坦化した。これに樹脂塗装を施して、平坦化後樹脂塗装を施したアルミニウム製エキスパンドメタル１３とした。
【００５１】
前記図４で説明した透光型膜振動吸音板（樹脂網タイプ）３と同様に、透明穴明き樹脂板７の長辺側両端に５ｍｍ幅の両面接着テープを予め貼り付けて、この上に２５μｍの弗素系透明樹脂薄膜６を貼り付けた。なお図中ではこの両面接着テープの記載は省略した。
【００５２】
弗素系透明樹脂薄膜６を両面接着テープでセットした、前記透明穴明き樹脂板７の上に、前記平坦化後樹脂塗装を施したアルミニウム製エキスパンドメタル１３を積層し、電気絶縁テープを用いてこの  積層体の８箇所を固定した。なお、図７と図８には固定のための電気絶縁テープは記載されていない。
【００５３】
前記同様、図６に示す方法で強制的に静電気を惹起することにより、本発明の透光型膜振動吸音板（エキスパンドメタルタイプ）１１とした。
【００５４】
さて、本発明の透光型膜振動吸音板の吸音機構に関して図９に示す透光型膜振動吸音板（樹脂網タイプ）３（詳細は前記図４と図５参照）を用いて説明する。
【００５５】
図中には、音源G側に位置する樹脂網５と反音源側に位置するポリカーボネート製の透明穴明き樹脂板７を、またそれらに挟持された弗素系透明樹脂薄膜６を示す。さらに背後空気層Ａを介して、透明ポリカーボネート製遮音板１４を示す。
【００５６】
図９は吸音している状態にある透光型膜振動吸音板（樹脂網タイプ）３を概念的に示したものである。音波S（振動する空気）が弗素系透明樹脂薄膜６に到達すると、静電気により反音源側の透明穴明き樹脂板７に密着しているものの、図中に概念的に示すように上記弗素系透明樹脂薄膜６は振動する。この振動により失われる音波Sのエネルギーにより発現する吸音作用をＥ１とする。
【００５７】
また上記弗素系透明樹脂薄膜６は、振動しながら樹脂網５と透明穴明き樹脂板７の表面を摩擦する。この摩擦により発熱することによって失われる音波Sのエネルギーにより発現する吸音作用をＥ２とする。
【００５８】
前述したように、弗素系透明樹脂薄膜６は振動しながら透明穴明き樹脂板７の表面を摩擦するが、本発明の「この樹脂薄膜６と透明穴明き樹脂板７を積層した状態で図６の方法（木綿の座布団）で惹起させた静電気」によるこの樹脂薄膜６と透明穴明き樹脂板７との密着力は、上記音波Ｓによる膜振動を阻害する強度ではなく、むしろ接触面積を増大させることにより吸音作用が助長される。
【００５９】
上記静電気作用が無い場合には、樹脂薄膜６の透明穴明き樹枝板７への接触面積不十分により、吸音作用は低減する。
【００６０】
さらに音波Sが透光型膜振動吸音板（樹脂網タイプ）３に衝突して、この吸音板に捩りや曲げが一時的に加わると、板固有の弾性に従って戻ろうとして板に振動（板振動）が生じる。この板振動により失われる音波Sのエネルギーにより発現する吸音作用をＥ３とする。
【００６１】
図９に示すように、透光型膜振動吸音板（樹脂網タイプ）３の背後に背後空気層Ａを介して透明ポリカーボネート製遮音板１４を配設すると、透光型膜振動吸音板（樹脂網タイプ）３の吸音特性は一層向上する。
【００６２】
その理由は、透光型膜振動吸音板（樹脂網タイプ）３の振動（板振動）が背後空気層Ａを圧縮することにより背圧ＢＰが生じる。この背圧ＢＰにより失われる音波Sのエネルギーにより発現する吸音作用をＥ４とする。
【００６３】
結論的に、本発明の透光型膜振動吸音板（樹脂網タイプ３とエキスパンドメタルタイプ１１）の吸音作用は、前記４種類の、失われる音波Sのエネルギーの和（Ｅ１+Ｅ２+Ｅ３+Ｅ４）として発現するものと推察する。
【００６４】
ところで実際の吸音特性は、弗素系透明樹脂薄膜６を用いる前提において、その厚みに支配される。一般的に吸音パネルの背後空気層Ａを一定にした場合、低周波数側の吸音特性は比較的厚めの樹脂薄膜が良好であり、逆に高周波数側の吸音特性は薄めの樹脂薄膜が良好である。
【００６５】
また本発明の同じ積層構成の透光型膜振動吸音板（樹脂網タイプ３とエキスパンドメタルタイプ１１）を用いた場合においても、公知のように、吸音特性は吸音パネルの背後空気層Ａに大きく支配され、空気層を大きくすると低周波数側の吸音特性が向上し、逆に空気層が小さくなると高周波数側の吸音特性が向上する。
【００６６】
また、反音源側の透明穴明き樹脂板７の配設状況、すなわち弗素系透明樹脂薄膜６との距離関係は実用上極めて重要であり、膜振動現象を阻害しない範囲において極力密着していることが肝要である。
【００６７】
従って、前記静電気力による透明穴明き樹脂板７と弗素系透明樹脂薄膜６との密着に加えて、図１４および図１７に示す、本発明の両面接着テープを用いた弗素系透明樹脂薄膜６の透明穴明き樹脂板７への部分固定は吸音力の一層の向上に必要である。
【００６８】
さて、本発明に用いる軟質繊維系多孔質吸音材とはグラスウールに代表される繊維系の吸音材である。また、連続気泡型弾性フォーム吸音材とは、樹脂製の非常に緻密な内部セル（細孔）構造を有し、これらのセル（細孔）が互いに繋がりあって材料の表裏面を空気が通過できる構造（オープンセル）をした発泡体であり、音波（振動する空気粒子）はこの細孔内を通過する際、摩擦抵抗を受けて熱エネルギーに変換され吸音される。
【００６９】
図２０に、筐体１５の内側の３周、および筐体１５内の中枠１６の下側に樹脂薄膜入りの連続気泡型弾性フォーム吸音材２７を内張りした状況を説明する平面図を示す。図２１は図２０のｆ−ｆ断面図である。    
【００７０】
表２からも明らかなように、補助吸音材無しの実施例３と実施例４に比べて、実施例５と実施例６の、上記連続気泡型弾性フォーム吸音材２７を筐体１５内に内張りすることにより、吸音パネルの吸音特性は安定的に向上することが明らかである。
【実施例１】
【００７１】
図１０と図１１に示すような、２０００ｍ（長さ）×１０００ｍｍ（幅）×８５ｍｍ（深さ）で、上面のみが開放する筐体１５を製作した。
幅方向の中央部には、透光型膜振動吸音板（樹脂網タイプ３とエキスパンドメタルタイプ１１）の撓みを防止する目的で中枠１６を設けた。なお、この筐体１５の底面は厚さが５ｍｍの透明ポリカーボネート製遮音板１４である。また、４周の側壁１７並びに中枠１６は厚さ１ｍｍのアルミ板を用いて箱状に加工してなる、幅２５ｍｍ（すなわち、これが側壁及び中桟の厚さ）の板材を組み合わせたものである。図１１は、図１０のｄ−ｄ断面図を示す。
【００７２】
透光型膜振動吸音板としては、図４と図５に示す透光型膜振動吸音板（樹脂網タイプ）３を用いた。すなわち、音源側は目合が１０ｍｍ×１０ｍｍの樹脂網５を、反音源側は厚さが２ｍｍの透明穴明き樹脂板７を用いた。穴明きの内径は１０ｍｍ、千鳥配列、開口率３５％のものを用いた。
【００７３】
樹脂薄膜としては、厚さが２５μｍの弗素系透明樹脂薄膜６を用いた。
【００７４】
透光型膜振動吸音板（樹脂網タイプ）３の透明穴明き樹脂板７側の表面を、図６に示す木綿製の座布団８（１ｍ×１ｍ）の上に載せて往復５０回、矢印の方向１０に静かに移動させて摩擦することにより、強制的に静電気を惹起させた。
【００７５】
図１０と図１１に示す状態の筐体１５に前記強制的に静電気を惹起させた、透光型膜振動吸音板（樹脂網タイプ）３をセットすることにより、図１２に示す透光型吸音パネル（樹脂網タイプ）１８を製作した。
【００７６】
この透光型吸音パネル（樹脂網タイプ）１８について、ＪＩＳ Ａ１４０９に準じて残響室法吸音率を測定した結果を、表１の実施例１に示す。
【００７７】
（比較例１）
前記実施例１と同様の図４と図５に示す、透光型膜振動吸音板（樹脂網タイプ）（但し静電気強制惹起無し）４を図１０と図１１に示す筐体１５セットすることにより、図１２に示す透光型吸音パネル（樹脂網タイプ）（但し静電気強制惹起無し）１９を製作し、実施例１と同様の方法で残教室法吸音率を測定した結果を、表１の比較例１に示す。
【００７８】
表１から明らかなように、実施例１と比較例１の吸音特性を比較すると、静電気を強制的に惹起させた実施例１の方が周波数４００Ｈｚから２０００Ｈｚの中周波数領域において吸音特性が向上していることがわかる。
【実施例２】
【００７９】
実施例１で用いた、図１０と図１１に示す筐体１５を準備した。
【００８０】
透光型膜振動吸音板としては、図７と図８に示す透光型膜振動吸音板（エキスパンドメタルタイプ）１１を用いた。すなわち、上側は前記アルミニウム製であって、網目サイズが１０ｍｍ×２０ｍｍであり、事前に圧延ロールを用いて平坦化してさらに樹脂塗装を施した、平坦化後樹脂塗装を施したアルミニウム製エキスパンドメタル１３を用いた。
【００８１】
樹脂薄膜も前記実施例１と同様の、厚さが２５μｍの弗素系透明樹脂薄膜６を用いた。また下側も実施例１と同様の透明穴明き樹脂板７を用いた。  
【００８２】
この透光型膜振動吸音板（エキスパンドメタルタイプ）１１の透明穴明き樹脂板７側を、実施例１と同様の図６に示す方法で強制的に静電気を惹起させた。
【００８３】
この透光型膜振動吸音板（エキスパンドメタルタイプ）１１を、図１０と図１１に示す筐体１５に、表裏反転することにより、透明穴明き樹脂板７が上側（音源側）になるように配設することにより、図１３に示す透光型吸音パネル（エキスパンドメタルタイプ）２０を製作し、実施例１と同様の方法で残教室法吸音率を測定した結果を、表１の実施例２に示す。
【００８４】
（比較例２）
前記実施例２と同様の図７と図８に示す、透光型膜振動吸音板（エキスパンドメタルタイプ）（但し静電気強制惹起無し）１２を図１０と図１１に示す筐体１５に、前記実施例２と同様の方法で反転させてセットすることにより、図１３に示す透光型吸音パネル（エキスパンドメタルタイプ）（但し静電気強制惹起無し）２１を製作し、実施例１と同様の方法で残教室法吸音率を測定した結果を、表１の比較例２に示す。
【００８５】
表１から明らかなように、実施例２と比較例２の吸音特性を比較すると、静電気を強制的に惹起させた実施例２の方が、前記実施例１と比較例１の場合と同様、周波数４００Ｈｚから２０００Ｈｚの中周波数領域において吸音特性が向上していることがわかる。
【実施例３】
【００８６】
図１４と図１４のｅ−ｅ断面図である図１５に示すように、弗素系透明樹脂薄膜６の一部を、５ｍｍ幅の両面接着テープ２２を用いて透明穴明き樹脂板７に固定した。（透明穴明き樹脂板の長辺側の両端も、前記したように５ｍｍ幅の両面接着テープで固定してあるが、図中では省略してある。）
【００８７】
この弗素系透明樹脂薄膜６を両面接着テープ２２で一部分固定した透明穴明き樹脂板７の上に前記樹脂網５をセットし、電気絶縁テープを用いてこの積層体の８箇所を固定した。（図１４と図１５には固定のための電気絶縁テープは記載されていない。）
【００８８】
実施例１と同様、図６に示す方法を用いて透明穴明き樹脂板７側を摩擦することにより静電気を惹起させて、本発明の透光型膜振動吸音板（樹脂網タイプ・テープ固定）２３とした。
【００８９】
また、実施例１と同様に、図１０と図１１に示す状態の筐体１５に前記、透光型膜振動吸音板（樹脂網タイプ・テープ固定）２３をセットすることにより、図１６に示す透光型吸音パネル（樹脂網タイプ・テープ固定）２４を製作した。
【００９０】
この透光型吸音パネル（樹脂網タイプ・テープ固定）２４について、実施例１と同様の方法で残響室法吸音率を測定した結果を、表２の実施例３に示す。
【００９１】
表２の当該実施例３（樹脂薄膜部分固定有り）と、表１の実施例１（樹脂薄膜部分固定無し）を比較すると、樹脂薄膜を部分固定した当該実施例３の方が、周波数５００Ｈｚ〜２０００Ｈｚの中周波数領域において吸音特性が向上していることが明らかである。
【実施例４】
【００９２】
実施例３と同様に、図１７とそのｆ-ｆ断面図の図１８に示すように、弗素系透明樹脂薄膜６の一部を、５ｍｍ幅の両面接着テープ２２を用いて透明穴明き樹脂板７に固定した。（透明穴明き樹脂板の長辺側の両端も、前記したように５ｍｍ幅の両面接着テープで固定してあるが、図中では省略してある。）
【００９３】
この弗素系透明樹脂薄膜６を両面接着テープ２２で一部分固定した透明穴明き樹脂板７の上に、前記平坦化後樹脂塗装を施したアルミニウム製エキスパンドメタル１３をセットし、電気絶縁テープを用いてこの積層体の８箇所を固定した。（図１７と図１８には固定のための電気絶縁テープは記載されていない。）
【００９４】
実施例１と同様、図６に示す方法を用いて透明穴明き樹脂板７側を摩擦することにより静電気を惹起させて、本発明の透光型膜振動吸音板（エキスパンドメタルタイプ・テープ固定）２５とした。
【００９５】
また、実施例１と同様に、図１０と図１１に示す状態の筐体１５に前記、透光型膜振動吸音板（エキスパンドメタルタイプ・テープ固定）２５を表裏反転することにより、透明穴明き樹脂板７が上側（音源側）になるように配設して、図１９に示す透光型吸音パネル（エキスパンドメタルタイプ・テープ固定）２６を製作した。
【００９６】
この透光型吸音パネル（エキスパンドメタルタイプ・テープ固定）２６について、実施例１と同様の方法で残響室法吸音率を測定した結果を、表２の実施例４に示す。
【００９７】
表２の当該実施例４（樹脂薄膜部分固定有り）と、表１の実施例２（樹脂薄膜部分固定無し）を比較すると、樹脂薄膜を部分固定した当該実施例４の方が、周波数５００Ｈｚ〜２０００Ｈｚの中周波数領域において吸音特性が向上していることが明らかである。
【実施例５】
【００９８】
図２０とそのｆ−ｆ断面図である図２１に、図１０と図１１に示す筐体１５の壁面内側と中枠１６の下側に、厚さ２１μｍの弗化エチレン系樹脂薄膜の袋で封入した、厚さが２５ｍｍ、高さが８５ｍｍの連続気泡型弾性フォーム吸音材２７を内張りした。
【００９９】
上記、連続気泡型弾性フォーム吸音材２７を内張りした筐体２８の上に、実施例３で用いた、図１４と図１５に示す本発明の透光型膜振動吸音板（樹脂網タイプ・テープ固定）２３を配設して、図２２に示す本発明の透光型吸音パネル（樹脂網タイプ・テープ固定・補助吸音材内張り）２９を製作した。
【０１００】
この透光型吸音パネル（樹脂網タイプ・テープ固定・補助吸音材内張り）２９について、実施例１と同様の方法で残響室法吸音率を測定した結果を、表２の実施例５に示す。
【０１０１】
この表から明らかなように、連続気泡型弾性フォーム吸音材２７等の補助吸音材を吸音パネルの側壁面に内張りすることにより、補助吸音材の無い実施例３と比較して、吸音特性は特に２５０Ｈｚ〜２０００Ｈｚ領域において一層向上していることがわかる。
【実施例６】
【０１０２】
前記実施例５と同様、図２０とそのｆ−ｆ断面図である図２１に、図１０と図１１に示す筐体１５の壁面内側と中枠１６の下側に、厚さ２１μｍの弗化エチレン系樹脂薄膜の袋で封入した、厚さが２５ｍｍ、高さが８５ｍｍの連続気泡型弾性フォーム吸音材２７を内張りした。
【０１０３】
上記、連続気泡型弾性フォーム吸音材２７を内張りした筐体２８の上に、実施例４で用いた、図１７と図１８に示す本発明の透光型膜振動吸音板（エキスパンドメタルタイプ・テープ固定）２３を表裏反転することにより、透明穴明き樹脂板７が上側（音源側）になるように配設して、図２３に示す透光型吸音パネル（エキスパンドメタルタイプ・テープ固定・補助吸音材内張り）３０を製作した。
【０１０４】
この透光型吸音パネル（エキスパンドメタルタイプ・テープ固定・補助吸音材内張り）３０について、実施例１と同様の方法で残響室法吸音率を測定した結果を、表２の実施例６に示す。
【０１０５】
この表からも明らかなように、連続気泡型弾性フォーム吸音材２７等の補助吸音材を吸音パネルの側壁面に内張りすることにより、補助吸音材の無い実施例４と比較して、吸音特性は特に２５０Ｈｚ〜２０００Ｈｚ領域において一層向上していることがわかる。
【０１０６】
実施例１と実施例２並びにそれらの比較例１と比較例２から明らかなように、静電気を強制的に惹起させて透明穴明き樹脂板７と弗素系透明樹脂薄膜６の接触を良好にすることにより、吸音特性が向上する。
【０１０７】
また、実施例３と実施例４から明らかなように、両面接着テープ２２による、弗素系透明樹脂薄膜６の透明穴明き樹脂板７への部分固定により、さらに吸音特性の向上が得られる。
【０１０８】
さらに、実施例５と実施例６から明らかなように、連続気泡型弾性フォーム吸音材２７等の補助吸音材を吸音パネルの側壁面に内張りすることにより、吸音特性は大幅に向上する。
【０１０９】
【表１】
2011197536.tif 000003
【０１１０】
【表２】
2011197536.tif 000004
【産業上の利用可能性】
【０１１１】
本発明の透光型膜振動吸音板および透光型吸音パネルを用いることにより、吸音特性のみならず、必要に応じて吸音パネルを通しての透光性および見透かし性を有する、道路・鉄道用の防音壁に利用される可能性がある。
【図面の簡単な説明】
【０１１２】
【図１】エキスパンドメタルの説明図であり、一つの網目の正面図である。
【図２】図１のａ−ａ断面図である。
【図３】図２の状態をロール圧延して、平坦化加工を施した状態を示す図である。
【図４】本発明の透光型膜振動吸音板（樹脂網タイプ）３の平面概念図である。
【図５】図４のｂ−ｂ断面図である。
【図６】強制的に静電気を惹起する方法を示す図である。
【図７】本発明の透光型膜振動吸音板（エキスパンドタイプ）１１の平面概念図である。
【図８】図７のｃ−ｃ断面図である。
【図９】本発明の透光型膜振動吸音板の吸音機構を説明する図である。
【図１０】本発明の透光型吸音パネルに用いる筐体を説明する図である。
【図１１】図１０のｄ−ｄ断面図である。
【図１２】本発明の透光型吸音パネル（樹脂網タイプ）１８とその比較例の透光型吸音パネル（樹脂網タイプ）１９を説明する図である。
【図１３】本発明の透光型吸音パネル（エキスパンドタイプ）２０とその比較例の透光型吸音パネル（エキスパンドタイプ）２１を説明する図である。
【図１４】透光型膜振動吸音板（樹脂網タイプ・テープ固定）２３を説明する図である。
【図１５】図１４のｅ−ｅ断面図である。
【図１６】透光型吸音パネル（樹脂網タイプ・テープ固定）２４を説明する図である。
【図１７】透光型膜振動吸音板（エキスパンドメタルタイプ・テープ固定）２５を説明する図である。
【図１８】図１７のｆ−ｆ断面図である。
【図１９】透光型吸音パネル（エキスパンドメタルタイプ・テープ固定）２６を説明する図である。
【図２０】筐体１５の内側の３周および中枠１６の下側に補助吸音材を内張りした状況を説明する平面図である。
【図２１】図２０のｆ−ｆ断面図である。
【図２２】透光型吸音パネル（樹脂網タイプ・テープ固定・補助吸音材内張り）２９を説明する図である
【図２３】透光型吸音パネル（エキスパンドメタルタイプ・テープ固定・補助吸音材内張り）３０を説明する図である。
【符号の説明】
【０１１３】
１  エキスパンドメタルの一つの網目
２  樹脂薄膜
３  透光型膜振動吸音板（樹脂網タイプ）
４  透光型膜振動吸音板（樹脂網タイプ）（但し静電気強制惹起無し）
５  樹脂網
６  弗素系透明樹脂薄膜
７  透明穴明き樹脂板
８  座布団置き台
９  木綿製座布団
１０  矢印の方向
１１  透光型膜振動吸音板（エキスパンドメタルタイプ）
１２  透光型膜振動吸音板（エキスパンドメタルタイプ）（但し静電気強制惹起無し）
１３  平坦化後樹脂塗装を施したアルミニウム製エキスパンドメタル
１４  透明ポリカーボネート製遮音板
１５  筐体
１６  中枠
１７  ４周の側壁
１８  透光型吸音パネル（樹脂網タイプ）
１９  透光型吸音パネル（樹脂網タイプ）（但し静電気強制惹起無し）
２０  透光型吸音パネル（エキスパンドメタルタイプ）
２１  透光型吸音パネル（エキスパンドメタルタイプ）（但し静電気強制惹起無し）
２２  両面接着テープ
２３  透光型膜振動吸音板（樹脂網タイプ・テープ固定）
２４  透光型吸音パネル（樹脂網タイプ・テープ固定）
２５  透光型膜振動吸音板（エキスパンドメタルタイプ・テープ固定）
２６  透光型吸音パネル（エキスパンドメタルタイプ・テープ固定）
２７  連続気泡型弾性フォーム吸音材
２８  連続気泡型弾性フォーム吸音材を内張りした筐体
２９  透光型吸音パネル（樹脂網タイプ・テープ固定・補助吸音材内張り）
３０  透光型吸音パネル（エキスパンドメタルタイプ・テープ固定・補助吸音材内張り）
Ａ：背後空気層
Ｓ：音波
Ｇ：音源
ＢＰ：背圧
【図１】
2011197536.tif 000005
【図２】
2011197536.tif 000006
【図３】
2011197536.tif 000007
【図４】
2011197536.tif 000008
【図５】
2011197536.tif 000009
【図６】
2011197536.tif 000010
【図７】
2011197536.tif 000011
【図８】
2011197536.tif 000012
【図９】
2011197536.tif 000013
【図１０】
2011197536.tif 000014
【図１１】
2011197536.tif 000015
【図１２】
2011197536.tif 000016
【図１３】
2011197536.tif 000017
【図１４】
2011197536.tif 000018
【図１５】
2011197536.tif 000019
【図１６】
2011197536.tif 000020
【図１７】
2011197536.tif 000021
【図１８】
2011197536.tif 000022
【図１９】
2011197536.tif 000023
【図２０】
2011197536.tif 000024
【図２１】
2011197536.tif 000025
【図２２】
2011197536.tif 000026
【図２３】
2011197536.tif 000027